(57)【要約】【課題】廃棄物焼却施設の煙突解体作業において、煙突の内筒表面に付着し堆積した有害物質を確実かつ安全に除去可能な洗浄装置を提供する。【解決手段】煙突１の内筒空間３の平断面中心とほぼ同軸をなして内筒空間３内に吊持される装置本体１１の側部にリンクアーム端が支持され、内筒空間３の直径に合わせてそのリンク長を変更可能な上下２段に配置されたサポートリンクアーム２０と、洗浄リンクアーム３０とを備える。洗浄作業において、サポートリンクアーム２０と洗浄リンクアーム３０とが、同期をとって各リンクアームの関節が屈曲してアームが開閉し、サポートリンクアーム２０の先端で内筒壁面２ａに装置全体が保持されるようにする。さらに、洗浄リンクアーム３０の先端に設けられた高圧水噴射部５０から高圧水Ｈを噴射して内筒壁面２ａに付着した焼却灰を洗浄、除去する。【選択図】  図１
2004174378.tif 000002
【特許請求の範囲】
【請求項１】
煙突の内筒空間の平断面中心とほぼ同軸をなして前記内筒空間内に吊持される装置本体と、該装置本体の側部にリンクアーム端が支持され、前記内筒空間の直径に合わせてそのリンク長を変更可能な上下２段に配置されたサポートリンクアームと、洗浄リンクアームとを備えた煙突内筒壁面洗浄装置において、
前記サポートリンクアームと洗浄リンクアームとは、同期をとって各リンクアームの関節が屈曲してアームが開閉し、前記サポートリンクアームの先端で前記内筒壁面に装置全体が保持される一方、前記洗浄リンクアームの先端に設けられた高圧水噴射部から高圧水が噴射され、前記内筒壁面に付着した焼却灰が除去されることを特徴とする煙突内筒壁面洗浄装置。
【請求項２】
煙突の内筒空間の平断面中心とほぼ同軸をなし、その停止高さを調整可能に前記内筒空間に吊持された装置本体と、
該装置本体の昇降シャフト上側部に第１の平行リンクアーム端が支持されるとともに、中間筒に前記第１の平行リンクアームの一部に連結されたクランクアーム端が支持され、前記内筒空間の直径に合わせて関節を屈曲してその全長を変更し、前記装置本体を内筒壁面に支持させるサポートリンクアームと、
前記装置本体の昇降シャフト下側部に第１の平行リンクアーム端が支持されるとともに、下部筒に前記第１の平行リンクアームの一部に連結されたクランクアーム端が支持され、前記内筒空間の直径に合わせて関節を屈曲してその全長を変更し、先端に取着された高圧水噴射部を内筒壁面から所定距離だけ離隔させた状態に保持して前記高圧水噴射部から噴射される高圧水により、内筒壁面に付着した焼却灰を除去する洗浄リンクアームと、
を備えたことを特徴とする煙突内筒壁面洗浄装置。
【請求項３】
前記高圧水は、前記装置本体の下端に連結されたスイベルジョイントを介して地上から供給され、前記洗浄リンクアームの先端に設けられた前記高圧噴射部のノズルから内筒壁面に噴射される請求項１または請求項２記載の煙突内筒壁面洗浄装置。
【発明の詳細な説明】
【０００１】
【発明の属する技術分野】
本発明は煙突内筒壁面洗浄装置に係り、廃棄物等を焼却した際に発生し、排煙時に煙突の内筒表面に付着し堆積した有害物質を確実かつ安全に除去するために用いられる煙突内筒壁面洗浄装置に関する。
【０００２】
【従来の技術】
平成１２年から施行されたダイオキシン類対策特別措置法に基づき、焼却施設から発生する焼却灰に含まれるダイオキシン類の排出基準が強化された。これにより、今後、全国各地の廃棄物焼却施設で改造や建て替えが行われるとともに、ごみ処理施設の広域化計画に伴い廃止される施設も多数見込まれている。このためダイオキシン類等の有害物質に汚染されている廃棄物焼却施設を安全に解体するための技術が求められてきている。特に老朽化した高層煙突等の解体では、内筒壁面に付着したダイオキシン類の有害物質を含むおそれのある焼却灰を、人力を介さずに洗浄し、煙突を安全に解体することが重要である。
【０００３】
出願人は、上述した煙突の解体技術に関して想定される複数の問題点を解決した技術、すなわち廃棄物等を焼却した際に、煙突内に付着している有害物質を安全に除去し、さらに煙突全体を安全かつ効率よく解体し、さらにそれら解体材料をリサイクルできるようにした技術として、廃棄物焼却施設の煙突解体システム及び解体方法に関する特許出願を行っている（特願２００１−３７９２０５出願明細書参照）。また、この出願に類似した先行技術として、有害物質等を扱ったプラントまたは焼却場の煙突解体方法、煙道内洗浄方法及び煙道内洗浄装置に関する出願がある（特許文献１参照）。
【０００４】
この特許文献１には、煙道内洗浄装置として、円形断面を有する煙道内に吊持された装置本体の位置を保持するための上側支持体と下側支持体の間にエアスイベルを介在させて高圧エア噴出装置が配置されている。エアスイベルには、高圧エアを高圧エア噴出装置に供給するエアホースが連結され、コンプレッサ等の圧源から導入される高圧エアの噴流作用により、高圧エア噴出装置が煙道中心軸にほぼ一致するように配置された回転軸周りに回転するとともに、高圧エアが煙道内側面に噴出され、これにより煙道内側面に付着した汚染物質が洗浄されるようになっている。また、特許文献１に記載された煙道内洗浄装置には、煙道内洗浄装置を煙道内の所定位置に保持するために、上部支持体と下部支持体が備えられている。上部支持体と下部支持体の端部に取り付けられた支持部材の先端には、煙道内面の上下方向に沿った向きに走行可能なガイドローラがと取り付けられ、各支持部材に備えられたスプリング、エアシリンダの付勢手段によって、各ガイドローラを煙道内面に押圧することで、煙道内洗浄装置の位置保持が果たされる。また、高圧エア噴射装置もスプリングパイプの先端がローラで保持され、煙道内面に摺接しながら、エアノズルからの高圧エア噴射が行われる。
【０００５】
【特許文献１】
特開平２０００−３２８８１５公報（第５頁記載、図３，図４参照）
【０００６】
【発明が解決しようとする課題】
ところが、煙道を形成する内筒は、一般に耐火煉瓦が多段に積層されて築造されたものであり、耐火煉瓦を積層した継目により内筒壁面には無数の凹凸が存在する。そのため、上述した洗浄装置の技術では、備えられた各支持体のガイドローラや、高圧噴射装置のローラを摺接させた状態で、洗浄装置を昇降させたり、エアスイブルを介してのエアノズルの回転運転を行った場合、煉瓦の継目の凹凸が障害となり、円滑な運転が行えないおそれがある。また、エアジャッキ、スプリング等のすべての付勢機構が煙道壁面への押圧方向に動作するように設定されているため、部材に競り等が生じると、その競りを解除する手段が無く、復旧作業が困難な場合が多く、安定した装置の運転が行えないと言う問題もある。
【０００７】
さらに、高圧エアの噴射によって煉瓦表面に付着している有害物質を剥離させて除去する洗浄方法では、有害物質を含んだ粉塵が煙道内に充満し、その一部は再度煉瓦等に付着したり、突起部分に堆積したりしてしまう。このため有害物質を含む粉塵を煙道内から完全除去することが難しい。加えて、集塵のために頂部及び下部の開口を完全密閉しなければならず、密閉が不十分な場合、集塵効率が低下するばかりでなく、粉塵が外部へ漏出してしまうおそれもある。
【０００８】
そこで、本発明の目的は、従来の問題点を解消するとともに、煙突の内筒表面に付着した汚染物質を、安全かつ確実に除去可能な煙突内筒壁面洗浄装置を提供することにある。
【０００９】
【課題を解決するための手段】
上記目的を達成するために、本発明の煙突内筒壁面洗浄装置は、煙突の内筒空間の平断面中心とほぼ同軸をなして前記内筒空間内に吊持される装置本体と、該装置本体側部にリンクアーム端が支持され、前記内筒空間の直径に合わせてそのリンク長を変更可能な上下２段に配置されたサポートリンクアームと、洗浄リンクアームとを備えた煙突内筒壁面洗浄装置において、前記サポートリンクアームと洗浄リンクアームとは、同期をとって各リンクアームの関節が屈曲してアームが開閉し、前記サポートリンクアームの先端で前記内筒壁面に装置全体が保持される一方、前記洗浄リンクアームの先端に設けられた高圧水噴射部から高圧水が噴射され、前記内筒壁面に付着した焼却灰が除去されることを特徴とする。
【００１０】
また、煙突の内筒空間の平断面中心とほぼ同軸をなしてその停止高さを調整可能に前記内筒空間内に吊持された装置本体と、該装置本体の昇降シャフト上側部に第１の平行リンクアーム端が支持されるとともに、中間筒に前記第１の平行リンクアームの一部に連結されたクランクアーム端が支持され、前記内筒空間の直径に合わせてリンクアーム関節を屈曲してその全長を変更し、前記装置本体を内筒壁面に支持させるサポートリンクアームと、前記装置本体の昇降シャフト下側部に第１の平行リンクアーム端が支持されるとともに、下部筒に前記第１の平行リンクアームの一部に連結されたクランクアーム端が支持され、前記内筒空間の直径に合わせてリンクアーム関節を屈曲してその全長を変更し、先端に取着された高圧水噴射部を、内筒壁面から所定距離だけ離隔させた状態に保持して前記高圧水噴射部から噴射される高圧水により、内筒壁面に付着した焼却灰を除去する洗浄リンクアームとを備えたことを特徴とする。
【００１１】
上記の洗浄装置において、前記高圧水は、前記装置本体の下端に連結されたスイベルジョイントを介して地上から供給され、前記洗浄リンクアームの先端に設けられた高圧噴射部のノズルから内筒壁面に噴射されることが好ましい。
【００１２】
【発明の実施の形態】
以下、本発明の煙突内筒壁面洗浄装置の一実施の形態について、添付図面を参照して説明する。
図１は、本発明の煙突内筒壁面洗浄装置１０（以下、洗浄装置１０と記す。）を、解体を予定している煙突１の内筒空間３（内筒２の内部空間をさす。）に吊り込まれた状態（上図）及び洗浄作業中の状態（下図）を想定して示した全体構成図である。同図上図には、所定位置に保持された作業ステージ４と、この作業ステージ４を利用して煙突１の外壁面１ａに沿って立設された架台やぐら５とが示されている。作業ステージは装備された昇降ジャッキ（図示せず）により煙突外壁面１ａに沿って昇降可能な装置からなり、本発明の洗浄装置１０を内筒空間３に吊り込む工程前に、煙突外壁面１ａに沿って煙突頂部１ｂまでに上昇し、所定高さに位置保持されている。そしてこの作業ステージ４を利用して、煙突頂部１ｂに取り付けられた支柱サポート６ａを利用して架台やぐら５の支柱６が立設されている。この架台やぐら５の支柱６間に梁７が架設され、梁７の中央位置に取り付けられたロープ車８まで地上の揚重ウインチ（図示せず）から導出されたワイヤロープＷが煙突外壁面１ａに沿って導かれ、煙突内筒空間３に対象物（たとえば洗浄装置）を吊持可能な吊りフックｈが装備されている。
【００１３】
本発明の洗浄装置１０は、図１に示したように、煙突１の内筒空間３の平断面中心とほぼ同軸をなして内筒空間３に吊持される装置本体１１と、装置本体１１の側部にアーム端２１ａが支持され、内筒空間３の直径に合わせてそのリンク長を変更可能な上下２段に配置されたサポートリンクアーム２０と、洗浄リンクアーム３０とから構成されている。これらサポートリンクアーム２０と、洗浄リンクアーム３０とは装置本体１１内に内蔵されているスライドジャッキ４０のロッド４１の伸縮動作によって上下スライドする昇降シャフト１５の上下動に追従して、同期をとって関節を屈曲させてリンクアームを折り畳んだ（閉じた）状態（図３参照）と、関節を所定開度まで開いてアームを所定角度まで展開（広げた）状態（図２参照）との間で開閉動作する。各リンクアーム２０，３０の開閉動作については、図２，図３を参照して詳しく後述する。なお、図１〜図３において、図の簡単化のために３本のサポートリンクアーム２０のうちの１本のみが示されている。
【００１４】
洗浄装置１０は、図１の上図に示した状態のようにリンクアーム２０，３０を閉じた状態で煙突底部１ｃの下部開口１Ａ（図６（ａ）参照）から内筒空間３に搬入され、上述した煙突頂部１ｂに組み立てられた架台やぐら５から内筒空間３に垂下されたワイヤロープＷの吊りフックｈを用いて、揚重ウインチ（図示せず）のワイヤロープ巻取り操作により、内筒空間３内を煙突頂部１ｂまで吊り上げられ、蛇腹形状を伸ばした形状が円錐台形状となるような頂部開口密閉カバー９内に収容されるようになっている。
【００１５】
さらに洗浄装置１０は、この頂部開口密閉カバー９内に収容された状態から、ワイヤロープＷの巻解き操作により、内筒空間３を降下する。このとき所定高さでの内筒の内径にあわせてリンクアーム２０，３０を展開する（開く）ことで、後述するようにサポートリンクアーム２０の先端のストッパ２７によって装置全体１０の位置保持を図るとともに、同期して所定直径までリンクアームを開いた洗浄リンクアーム３０の端部に装備された高圧水噴射部５０から高圧水Ｈを内筒壁面２ａに向けて噴射させることで、内筒壁面２ａを構成する耐火煉瓦の表面を洗浄し、耐火煉瓦に付着した焼却灰を確実に除去することができる。
【００１６】
図１の下図は洗浄装置１０による内筒壁面２ａの洗浄状態を示した説明図である。同図に示したように、サポートリンクアーム２０と洗浄リンクアーム３０とは、ほぼ同形の屈曲状態で装置本体１１からアームを開いた状態を保持され、内筒空間３の所定高さに位置保持されている。このとき後述する図４の平面図に示したように、平面視して１２０°の等角度をなして装置本体１１に取り付けられた３本の各サポートリンクアーム２０のストッパ２７が内筒壁面２ａに当接することにより、装置本体１１は内筒空間３の断面中心軸とほぼ同軸位置に位置が保持されている。この状態で、同様に図４に併せて示した平面視して１８０°をなして装置本体１１に取り付けられた２本の洗浄リンクアーム３０も同様にアームを開いた状態で、アーム先端に取り付けられた高圧水噴射部５０から噴出された高圧水Ｈにより内筒壁面２ａが洗浄される洗浄状態が示されている。
【００１７】
以下、洗浄装置１０のリンクアーム２０，３０及び各部の構成、動作について、図２〜図５を参照して詳述する。
洗浄装置１０は、図２に示したように、内筒空間３にワイヤロープＷを介して内筒空間３の平断面中心とほぼ同軸をなしてその停止高さを調整可能に吊持された装置本体１１と、装置本体１１の昇降シャフト１５の上側部に平行リンクアーム２１のアーム端２１ａが支持されるとともに、中間筒１３に平行リンクアーム２１の下部アーム２１Ｂの中間位置に連結されたクランクアーム２２の端部が支持され、内筒空間３の直径に合わせて関節２３を屈曲してその全長を変更して装置本体１１を、内筒壁面２ａに支持させるサポートリンクアーム２０と、装置本体１１の昇降シャフト１５の下側部に第１の平行リンクアーム３１のアーム端３１ａが支持されるとともに、下部筒１４に第１の平行リンクアーム３１の下部アーム３１Ｂの中間位置に連結されたクランクアーム３２の端部が支持され、内筒空間３の直径に合わせて関節３３を屈曲してその全長を変更して先端に取着された高圧水噴射部５０を、内筒壁面２ａから所定距離Ｌだけ離隔させた状態で保持して、高圧水噴射部５０から噴射される高圧水Ｈにより、内筒壁面２ａに付着した焼却灰を除去する洗浄リンクアーム３０とから構成されている。
【００１８】
装置本体１１は、図２に示したように、上端に装置吊り点１２ａを有するとともに、内部に所定ストロークＳで下方にロッド４１を伸長可能なスライドジャッキ４０が収容された上部筒１２と、スライドジャッキ４０のロッド４１の伸長により側部に連結された平行リンクアームのアーム端位置を上下スライドさせて平行リンクアーム２０，３０の屈曲動作を可能にする昇降シャフト１５と、昇降シャフト１５の上下方向スライドを保持するとともに、サポートリンクアーム２０のクランクアーム２１の端部を外側面で支持する中間筒１３と、昇降シャフト１５の下端を内部に収容して保持するとともに、外側面で洗浄リンクアーム３０の第１の平行リンクアーム３１のアーム端３１ａを回動可能に支持し、内部に高圧水配管（図示せず）を有する下部筒１４とから構成されている。
【００１９】
サポートリンクアーム２０は、図４の平面図に示したように、平面視して１２０°の等角度をなして装置本体１１に取り付けられた３本から構成されており、また、図２，図３に示した範囲においてリンクアームの屈伸動作が可能なリンク機構から構成されている。リンク機構は図２から明らかなように、平行リンクアーム２１が鋼管パイプ加工部材からなる２本のアーム２１Ａ，２１Ｂと、昇降シャフト１５に固着されたブラケットプレート２４により固定側の短節と、同期歯車２５を介装させてサポートアーム２６と連結される関節２３の他端の短節とで構成されている。この関節２３と同軸の同期歯車２５を介することでサポートアーム２６と平行リンクアーム２１とは関節２３で対称軸Ｊに関して対称をなして屈曲する。この屈曲動作は、スライドジャッキ４０のロッド４１の伸長による昇降シャフト１５の下方へのスライドで昇降シャフト１５上部に固着されたブラケットプレート２４の位置が下方に下がる際に、中間筒１３に支持されたクランクアーム２２が起立状態から装置本体１１の中心軸線から放射方向に倒れるように回動するのに伴い、クランクアーム２２の自由端に連結された平行リンクアーム２１の下部アーム２１Ｂが支持端周り２１ａに回動して平行リンクアーム２１全体が中心軸線から放射方向に展開する（開く）ことで実現する。この展開動作に同期して関節２３で連結されたサポートアーム２６が上述したように内筒壁面２ａ側に開くように動作する。このときサポートアーム２６の先端には表面に複数本の周状突起２８が形成されたローラ状のストッパ２７が取り付けれており、ストッパ２７を内筒壁面２ａに押圧した際に周状突起２８の壁面２ａへの係止により装置本体１１の上部が回転しようとする方向への抵抗力を増加させている（図４拡大図参照）。
【００２０】
洗浄リンクアーム３０は、図４の平面図に示したように、装置本体１１を中心として１８０°をなすように取り付けられ、サポートリンクアーム２０とほぼ同様に、図２，図３に示した範囲において２組のリンクアーム３１，３６の関節３３を挟む屈伸動作が可能なリンク機構から構成されている。このリンク機構は、図２から明らかなように、第１の平行リンクアーム３１が鋼管パイプ加工部材からなる２本のアーム３１Ａ，３１Ｂと、これらのアーム端が昇降シャフト１５の側面に固着されて固定側の短節と、同期歯車３５を介装させて第２の平行リンクアーム３６と連結される関節３３の他端の短節とで構成されている。この関節３３と同軸の同期歯車３５を介することで第１の平行リンクアーム３１と第２の平行リンクアーム３６とは関節３３で対称軸Ｊに関して対称をなして屈曲する。この屈曲動作は、スライドジャッキ４０のロッド４１の伸長による昇降シャフト１５の下方へのスライドで昇降シャフト１５下部側面に固定された第１の平行リンクアーム３１の支持端が下方に下がる際に、下部筒１４に支持されたクランクアーム３２が起立状態から装置本体１１の中心軸線から放射方向に倒れるように回動するのに伴い、クランクアームの自由端に連結された第１の平行リンクアーム３１の下部アーム３１Ｂが支持端周りに回動して第１の平行リンクアーム３１全体が中心軸線から放射方向に展開する（開く）ことで実現する。この展開動作に同期して関節３３で連結された第２の平行リンクアーム３６が上述したように内筒壁面２ａ側に開くように動作する。このとき第２の平行リンクアーム３６の先端には図５に示したように高圧水噴射部５０が取り付けられており、高圧水噴射部５０のノズル５６（図５）から内筒壁面２ａに向けて噴射される高圧水Ｈにより壁面２ａに付着した焼却灰を除去することができる。
【００２１】
また、この２本の洗浄リンクアーム３０には、装置本体１１に組み込まれた駆動装置６０により、中心軸線Ｃを回転軸とする回転動作が付与される。すなわち、図２に示したように、上部筒１２の側面に取り付けられた駆動源としての油圧モータ６１の回転駆動力が減速機６２を介して装置本体１１に沿って回転可能に支持された回転ロッド６３を回転し、回転ロッド６３下端の伝達歯車群６４を介して中間筒１３に組み込まれた内部回転軸６５に伝達され、この内部回転軸６５により洗浄リンクアーム３０全体が図４に示したように矢印方向Ａに回転し、内筒壁面２ａに対して高圧噴射部５０のノズル５６を所定速度で移動させて高圧水Ｈを円周帯状に噴射させる洗浄を行うことができる。なお、煙突の下部にかけて内筒の直径が増加する場合、直径の増加にあわせて洗浄リンクアーム３０の回転速度を減速機６２によって減速し、内筒壁面２ａに対する高圧噴射部５０のノズル５６の移動速度を一定に保つことが好ましい。このようにして円周帯状の洗浄を終えたら、洗浄装置１０を所定量だけ降下させ、すでに洗浄の完了した部分とわずかな重なりをもって引き続いて内筒壁面２ａの円周帯状の洗浄を行う。この洗浄サイクルを煙突頂部から煙突底部まで連続して行うことにより、内筒壁面２ａの全面にわたる洗浄を行うことができる。
【００２２】
この高圧水は、地上に設置された高圧水供給設備７４（図６（ｂ））内の高圧ポンプから、内筒空間３を装置本体１１位置まで配管された耐圧ホース５１により装置本体１１の下端に連結されたスイベルジョイント５２に接続され、下部筒１４内の配管（図示せず）、外部ホース５３を介して洗浄リンクアーム３０の先端に取り付けられた高圧水噴射部５０に供給される。噴射時の高圧水の水圧は、煉瓦あるいはコンクリート面の状態に応じて６０〜８０ＭＰａになるように設定する。また、煉瓦表面に付着した焼却灰の固着の程度、煉瓦の劣化の程度を考慮することも好ましい。
【００２３】
以上に示したように、サポートリンクアーム２０と洗浄リンクアーム３０とは、装置本体１１の上部筒１２内に内蔵された１本のスライドジャッキ４０のロッド４１の伸長によって実現する昇降シャフト１５の上下動により、一体的にかつ所定の展開直径に精度良く展開できる。したがって、スライドジャッキ４０のロッド伸長量（＝昇降シャフト１５のスライド量）を適正に設定することにより、高圧水噴射部５０のノズル先端と内筒壁面２ａとの離れＬ（図２参照）を精度良く設定することができる。またこれと同時に、サポートアーム２６のストッパ２７を確実に壁面に当接させるサポートリンクアーム２０の展開直径も一義的に設定することができる。
【００２４】
装置本体１１に関する付帯設備として、上部筒１２の上端に複数台のモニターカメラＭが所定の視野を確保できるように下方を向けて装備されている。これにより、地上の操作室等（図示せず）において、内筒壁面２ａでの洗浄状況、洗浄結果を確認する遠隔目視観察が行えるようになっている。このときモニターカメラＭの視野を確保するために、後述する換気装置により内筒内を負圧状態に保ち、飛散した水滴を上昇させないようにすることが好ましい。
【００２５】
図３は上部筒１２内のスライドジャッキ４０のロッド４１を縮退し、サポートリンクアーム２０と、洗浄リンクアーム３０のリンクアームを完全に折り畳んだ状態が示されている。洗浄装置１０は図１に示したように、この最小展開直径の状態で煙突１の内筒空間３内に搬入されるが、図３に示したように、この直径においても十分に内筒壁面２ａの洗浄作業が可能であることが理解できる。
【００２６】
図４は、内筒空間３に吊持された装置本体１１に取り付けられたサポートリンクアーム２０と洗浄リンクアーム３０とを内筒空間内に展開した（開いた）状態を模式的に示した内筒空間３の平面図である。なお、同図では、理解のためにサポートリンクアーム２０と洗浄リンクアーム３０とが同一平面内に示されている。上述したように装置本体１１下部の洗浄リンクアーム３０は、中心軸線Ｃ回りに図中矢印方向Ａに回転するが、これに対して３本のサポートリンクアーム２０の先端に取着されたストッパ２７の周状突起２８が内筒壁面２ａの凹凸に係止するので、装置本体１１上部は回転が防止される。
【００２７】
図５各図は、洗浄リンクアーム３０の先端に取り付けられた高圧水噴射部５０の構成を示した拡大図である。高圧水噴射部５０において、図５（ａ）に示したように、第２のリンクアーム３６の軸線方向から所定の角度（本実施の形態では１５°）だけアーム回転方向に傾けて配置され、アーム先端に保持されたベースプレート５４上のノズルボックス５５が取り付けられている。また、同図（ｂ）に示したように、ノズルボックス５５には２個のノズル５６が上下に並んで取り付けられている。これらノズル５６から噴射された高圧水Ｈは図示したように、略円錐形状をなして距離Ｌだけ離れた壁面２ａに所定圧力（本実施の形態では、８０ＭＰａ）で衝突するが、この距離Ｌは内筒壁面２ａの煉瓦の状態あるいは外筒のコンクリートの状態を考慮して設定することが好ましい。
【００２８】
本発明の煙突内筒壁面洗浄装置１０を用いた内筒の壁面の洗浄作業の手順及び洗浄作業のために設けられる設備構成について、図６を参照して説明する。
図６（ａ）は洗浄装置１０を内筒の頂部まで引き揚げている状態を示している。同図に示したように、煙突底部１ｂには後に管理エリア７０として機能させるために、密閉壁体７１で覆って区画するための足場７２が組み立てられている。この足場７２を利用して図示した作業ステージ４が組み立てられ、作業ステージ４は、装備された昇降装置（図示せず）により、煙突頂部１ｂまで上昇して頂部の作業足場として利用されている（図６（ａ））。そして図６（ｂ）に示したように、管理エリア７０の近傍には洗浄作業に必要な各種設備が準備される。足場７２を利用して煙突底部１ｃの周囲を、密閉壁体７２で覆うように区画して構築された管理エリア７０外の地上部には給電設備７３の他、高圧水供給設備７４としての高圧ポンプＰ、水タンクＴが設置される。さらに洗浄に使われ、焼却灰で汚染された洗浄処理水は内筒壁面２ａを流下して煙突底部１ｃに溜まるが、この洗浄処理水はピット７５に集水され、処理水送水経路７６を経て管理エリア７０外のダイオキシン処理プラント（図示せず）へ排水される。また、管理エリア７０内はエリア外に設置された換気装置７７の運転により負圧状態に設定されるようになっている。これにより、洗浄作業中に壁面に当たって飛散した霧状の洗浄水が早期に取り除かれる。
【００２９】
なお、以上の説明は、洗浄装置１０を、図１に示したように、煙突１の内筒２の内筒壁面２ａの洗浄作業に用いることを例に行ったが、本洗浄装置１０は煙突外筒コンクリートの洗浄作業にも用いることができる。すなわち、内筒解体作業により内筒２が解体され取り除かれた煙突１内の煙突頂部１ｂに、本洗浄装置１０を再度吊り上げ（たとえば図１上図参照。）、そこから同様に降下しながら、外筒コンクリートの内壁面を洗浄することもできる。これにより煙突供用時に外筒コンクリート表面に付着した焼却灰、あるいは内筒解体作業中に発生してコンクリート表面に付着した粉塵等を確実に除去することができる。
【００３０】
【発明の効果】
以上に説明したように、本発明の煙突内筒壁面洗浄装置によれば、煙突の内筒の底部から頂部の全面にわたる壁面に付着した焼却灰を除去するための装置を、安全かつ確実に運転させて、有害物質を含む焼却灰を、洗浄処理水とともに処理プラントに送ることで有害物質を煙突内に残置させることなく確実に除去することができる。
【図面の簡単な説明】
【図１】本発明による煙突内筒壁面洗浄装置の一実施の形態を示した全体構成図。
【図２】煙突内筒壁面洗浄装置の一態様（リンクアーム展開時：洗浄時）を示した正面図。
【図３】煙突内筒壁面洗浄装置の他の態様（アーム折り畳み時：搬入時）を示した正面図。
【図４】煙突内筒壁面洗浄装置のリンクアームの展開状態を示した模式平面図。
【図５】高圧水噴射部の構成を示した部分拡大平面、正面図。
【図６】本発明の洗浄装置を用いて行われる煙突の内筒壁面の洗浄作業のための設備を示した模式全体図。
【符号の説明】
１  煙突
２  内筒
３  内筒空間
１０  煙突内筒壁面洗浄装置
１１  装置本体
１２  上部筒
１３  中間筒
１４  下部筒
１５  昇降シャフト
２０  サポートリンクアーム
２１，３１，３６  平行リンクアーム
２２  クランクアーム
２３，３３  関節
２５，３５  同期歯車
２７  ストッパ
４０  スライドジャッキ
４１  ロッド
５０  高圧水噴射部
５６  ノズル
６０  駆動装置
【図１】
2004174378.tif 000003
【図２】
2004174378.tif 000004
【図３】
2004174378.tif 000005
【図４】
2004174378.tif 000006
【図５】
2004174378.tif 000007
【図６】
2004174378.tif 000008